(57)【要約】  食料品その他を収容する容器構造物(8)であって、前記容器に前記食料品を入れるための少なくとも一つの導入開口(10)を限る限定リム(9)と、前記食料品を収容するために前記導入開口と連絡するハウジングチャンバー(12)を定めるようになっている前記限定リム(9)から延びている中空本体(11)とから成る容器構造物。前記中空本体は、該本体を支持するための硬質支持手段(13)と、前記支持手段を被覆して前記容器の総重量を小さく抑える軽量化被覆手段(16)とから成っている。さらに、本発明は、前記容器を収容するコンテナ構造物にも関する。【選択図】図1
2010504255.tif 000002
【特許請求の範囲】
【請求項１】
食料品その他を収容する容器構造物であって、
前記容器に前記食料品を入れるための少なくとも一つの導入開口を限る限定リムと、前記食料品を収容するために前記導入開口と連絡するハウジングチャンバーを限る前記限定リムから延びている中空本体とから成る容器構造物において、
前記中空本体が、該本体を支持するための硬質支持手段と、前記支持手段を被覆して前記容器の総重量を小さく抑える軽量化被覆手段とから成ること、
を特徴とする容器構造物。
【請求項２】
当該中空本体が切頭角錐形であることを特徴とする請求項1に記載の構造物。
【請求項３】
当該硬質支持手段が、垂直に配置された支持要素と、該支持要素を連結する水平に配置された連結要素とを有することを特徴とする請求項1または2に記載の構造物。
【請求項４】
当該支持要素が、かど位置に配置され、当該連結要素が上側辺位置に配置されることを特徴とする請求項1から3の中のいずれか一つに記載の構造物。
【請求項５】
当該軽量化被覆手段が、当該支持手段に付着させられるようになっている周縁リムを有することを特徴とする請求項1から4の中のいずれか一つに記載の構造物。
【請求項６】
当該軽量化被覆手段が、当該容器の床と側壁とを定めることを特徴とする請求項1から5の中のいずれか一つに記載の構造物。
【請求項７】
当該床と当該側壁とが、それぞれ、当該軽量化被覆手段の中央領域と周辺領域とによって定められることを特徴とする請求項1から6の中のいずれか一つに記載の構造物。
【請求項８】
当該軽量化被覆手段が、当該食料品が当該容器外部の汚染物質によって汚染されることを防ぐのに適したフィルムから成ることを特徴とする請求項1から7の中のいずれか一つに記載の構造物。
【請求項９】
相互に連結できるふたと容器とから成る、食料品その他を収容するコンテナ構造物であって、前記容器が請求項1から8に記載の特徴の中のいずれか一つを有することを特徴とするコンテナ構造物。
【請求項１０】
プラスチック材料で製造できることを特徴とする請求項1から9の中のいずれか一つに記載の容器構造物およびコンテナ構造物。
【発明の詳細な説明】
【技術分野】
【０００１】
本発明は、食料品その他を収容するための容器構造物および該容器を収容するためのコンテナ構造物に関する。本発明は、特に、保存、乳製品、その他の分野のためのプラスチック包装材料の製造における用途を見出すものであるが、これらの分野のみに限定されるものではない。
【背景技術】
【０００２】
これらの産業分野に特徴的な製品の保存に使用されるコンテナは、通常、硬質で、プラスチック材料製であり、基本的には、相互連結のできるふたと容器とから成る。特に、従来の容器は、前記容器に前記製品を入れるための少なくとも一つの導入開口を限るための境界リムと、該境界リムから延びて前記製品を収容するために前記導入開口と連絡するハウジングチャンバーを定めるようになっている中空本体とを備えている。
【０００３】
前記の先行技術によって製造されるコンテナに見られるもっとも重要な欠点は、その価格が、これらが収容する製品の販売価格に対してかなり大きな上乗せとなるということであり、特に製品の価格が小さい場合には影響が大きい。実際、前記コンテナの価格は、周知のように高い、その製造に使用されるプラスチック材料の価格に関係する。とにかく、この価格は、最近の原油価格の漸進的上昇のために、かなり増大している。前記コンテナの価格には、その製造に使用されるプラスチック材料の体積にもとづいて算出される、該コンテナの製造者によって課されるリサイクル費用の増大による負担も加わっている。
【発明の開示】
【発明が解決しようとする課題】
【０００４】
本発明の包括的目的は、先行技術に見られる欠点を克服できる、食料品その他を収容するための容器構造物および該容器を収容するコンテナ構造物を提供することである。
【０００５】
この包括的目的の範囲内での本発明の一つの個別目的は、経済的なタイプのコンテナを提供することである。
【０００６】
本発明のもう一つの個別目的は、空の状態でも中身が入った状態でも積み重ねることのできるコンテナを提供することである。
【０００７】
本発明のもう一つの個別目的は、収容される食料品の長い保存期間を実現できるコンテナを提供することである。
【０００８】
最後というわけではないが、本発明のもう一つの目的は、通常のプラスチック材料に使用される方法と射出成形装置とを用いて製造することのできるコンテナを提供することである。
【課題を解決するための手段】
【０００９】
前記包括的目的ならびに以下の説明からより十分に理解される前記個別目的およびその他の個別目的は、本発明の特許請求の範囲に示す、食料品その他を収容するための容器構造物と該容器を収容するコンテナ構造物とによって、達成される。
【００１０】
本発明の第一の特徴によれば、食料品その他を収容する容器構造物が、前記容器に前記食料品を入れるための少なくとも一つの導入開口を限る限定リムと、前記食料品を収容するために前記導入開口と連絡するハウジングチャンバーを限るようになっている前記限定リムから延びている中空本体とから成る。前記中空本体は、該本体を支持するための硬質支持手段と、前記支持手段を被覆して前記容器の総重量を小さく抑える軽量化被覆手段とから成る。
【発明の効果】
【００１１】
本発明の包括的目的によるこの解決策により、経済的なタイプのコンテナが提供される。実際、軽量化被覆手段の使用により、使用するプラスチック材料をかなり節約することができ、したがって従来のコンテナに比して大きな経済的利点がある。
【００１２】
さらに、この解決策により、本発明の一つの個別目的が意図する、空の状態でも中身か入った状態でも積み重ねることのできる容器を製造することができる。実際、硬質支持手段の使用により、積み重ねに適した、従来のコンテナの押しつぶし強度と比較しうるコンテナ押しつぶし強度を実現することができる。
【００１３】
本発明の第二の特徴によれば、前記軽量化被覆手段は、前記容器の外部の汚染物質による前記食料品の汚染を防止することのできるフィルムから成る。
【００１４】
したがって、この解決策により、本発明で意図するような、食料品の長期保存が実現できるコンテナが提供される。
【００１５】
本発明のさらに別の特徴によれば、容器構造物およびコンテナ構造物はプラスチック材料で作ることができる。
【００１６】
したがって、この解決策により、本発明が意図するように、達成すべき各個別目的にしたがって、プラスチック材料のための通常の方法と射出成形装置とを使用して、コンテナを製造することができる。
【発明を実施するための最良の形態】
【００１７】
本発明のその他の特徴および利点は、以下の添付の図面に即してなされる、本発明の容器構造物とコンテナ構造物の好ましい実施形態の説明からさらにはっきりするであろう。この実施形態は説明のための例であり、限定を意図するものではない。
【００１８】
添付の図のうちまず図1を参照すると、食料品その他(図示せず)を収容するための容器構造物の全体が参照番号8で示されている。この容器構造物は、特に、前記食料品を容器8に入れるための少なくとも一つの導入開口10を限るために、限定リム9を有する。
【００１９】
この容器構造物8は、また、中空本体11をも有し、該本体は、前記限定リム9から延びて、前記食料品を収容するための前記導入開口10と連絡するハウジングチャンバー12を定めている。詳しく言うと、前記中空本体11は切頭角錐の形をしている。
【００２０】
前記中空本体11は、前記本体11を支持するために、全体を参照番号13で示す硬質支持手段を有する。特に、前記硬質支持手段13は、垂直に配置された支持要素14と、該支持要素14を連結するための水平に配置された連結要素15とを有する。詳しく言うと、前記支持要素14は、かどに配置され、前記連結要素15は、上側辺に配置されている。
【００２１】
最後に、前記中空本体11は、前記支持手段13を被覆する、全体を参照番号16で示す軽量化被覆手段を有し、前記容器8の総重量を小さく抑えるようになっている。前記軽量化被覆手段16は、前記容器8の床18と側壁19をも定める。前記床18と前記側壁19とは、前記軽量化被覆手段16の中央領域20と周辺領域21とによって定められる。前記軽量化被覆手段16は、好ましくは、前記食料品が前記容器8の外部の汚染物質によって汚染されるのを防ぐのに適したフィルムから成る。
【００２２】
食料品その他(図示せず)を収容するためのコンテナ構造物(図示せず)は、相互に連結できる容器とふたから成る。ここで、この容器は、前記特徴のうち一つ以上を有する。
【００２３】
最後に、前記容器構造物および前記コンテナ構造物は、プラスチック材料で作られる。
【００２４】
実際に確認されたところでは、食料品その他を収容するための容器構造物とコンテナ構造物とは、先行技術に見られる欠点を克服することにより、その意図する包括的目的と個別目的とを達成するものである。実際、前記軽量化被覆手段により、経済的なタイプの容器を作ることができる。また、硬質支持手段は、空の状態でも中身が入った状態でも積み重ねるのに適したコンテナの製造を可能にする。汚染防止フィルムから成る被覆手段の使用により、長期保存期間が実現できるコンテナの製造が可能になる。最後に、容器とコンテナとの両方の製造に射出成形プラスチック材料を使用することにより、すでに公知のプラスチック材料のための方法と射出成形装置とが両方とも使用できる。
【００２５】
実用における実施形態においては、使用材料、形状、寸法、および実施における細部は、技術的に同等である限り、要件と必要とに応じて、前述のものと異なるものとすることができる。
【００２６】
特に、前記容器と該容器を収容する前記コンテナとは、任意の形状で具体化することができ、任意の容積を有することかできる。
【図面の簡単な説明】
【００２７】
【図１】本発明の容器構造物の斜視正面図である。
【図２】図1の容器構造物の底部上面図である。
【図３】図1の容器構造物の側面図である。
【図４】図1の容器の、図2に示す鎖線IV−IVに沿う垂直断面図である。
【図５】図1の容器構造物の、図3に示す鎖線V−Vに沿う水平断面図である。
【図６】一部未完の図1の容器構造物の斜視正面図である。
【図７】前記被覆手段の底部上面図である。
【符号の説明】
【００２８】
8  容器構造物
9  限定リム
10  導入開口
11  中空本体
12  ハウジングチャンバー
13  硬質支持手段
14  支持要素
15  連絡要素
16  軽量化被覆手段
18  床
19  側壁
20  中央領域
21  周辺領域
【図１】
2010504255.tif 000003
【図２】
2010504255.tif 000004
【図３】
2010504255.tif 000005
【図４】
2010504255.tif 000006
【図５】
2010504255.tif 000007
【図６】
2010504255.tif 000008
【図７】
2010504255.tif 000009
【国際調査報告】
2010504255.tif 000010
2010504255.tif 000011
2010504255.tif 000012
2010504255.tif 000013